(57)【要約】【課題】  容易かつ安全に汚物を処理することができ、作業効率性に優れた汚物処理用キットを提供すること。【解決手段】  汚物処理用キットは、防護具、清掃具および消毒具と、前記防護具、清掃具および消毒具を収納可能な収納容器とを備え、前記防護具、清掃具および消毒具に使用方法がそれぞれ表示されている。前記キットによれば、短時間かつ確実な汚物処理を可能とする。その結果、汚物による悪影響から汚物処理従事者および通行人などを保護し得る。【選択図】なし【特許請求の範囲】
【請求項１】
汚物処理用キットであって、
防護具、清掃具および消毒具と、前記防護具、清掃具および消毒具を収納可能な収納容器とを包含し、
前記防護具、清掃具および消毒具に使用方法がそれぞれ表示されている、キット。
【請求項２】
前記収納容器が、前記防護具、清掃具および消毒具を取り出すための開口部を備え、
前記防護具、清掃具および消毒具が、それらを使用する順序にて前記開口部から取り出すことができるように、前記収納容器にそれぞれ収納されている、請求項１に記載のキット。
【請求項３】
前記防護具、清掃具および消毒具が、前記使用方法を前記開口部から認識可能となるように収納されている、請求項２に記載のキット
【請求項４】
前記収納容器に製品情報が表示されている、請求項１から３のいずれかに記載のキット。
【請求項５】
請求項２から４のいずれかに記載のキットを製造する方法であって、
防護具、清掃具および消毒具に使用方法を表示する工程Ａと、
前記防護具、清掃具および消毒具を収納容器に収納する工程Ｂとを包含し、
前記工程Ｂが、前記防護具、清掃具および消毒具を、それらを使用する順序にて前記開口部から取り出すことができるように、前記収納容器にそれぞれ収納する工程である、方法。
【発明の詳細な説明】
【技術分野】
【０００１】
本発明は、汚物処理用キットに関し、より詳細には、容易かつ安全に汚物を処理することができ、さらに作業効率性に優れた汚物処理用キットに関するものである。
【背景技術】
【０００２】
福祉施設および医療施設などの公共および民間施設、航空機、鉄道列車およびバスなどの乗り物、ならびに駅および歩道などにおいて汚物が発生することがある。この様な汚物は悪臭を発生したり、床や絨毯などを汚したりするため、誰もが嫌がる不快なものである。汚物は、そのまま放置されれば、環境衛生上問題があり、それを処理する必要があるが、汚物処理従事者にとって極めて煩わしいものである。また、当該汚物がノロウイルスなど感染性ウイルスを保有する感染者由来である場合、当該汚物を介して汚物処理従事者および通行人などが二次感染を起こし、さらには集団感染に発展することにもなる。そのため、汚物が発生した場合、迅速にその除去および汚物発生箇所の消毒などの処理を行うことが必要となる。
【０００３】
この様な汚物を容易に処理するためのキットも存在するが、汚物処理従事者は、当該キットに包含される複数種の用具の使用順序および使用方法を一見して認識することができず、付属のマニュアルと各用具とを照らし合わせて確認しながら汚物処理を行うことになる。そのため、特に汚物処理経験に乏しい者が汚物処理を行う場合、汚物処理に手間取ることになり、長時間を費やしてしまう、あるいは汚物処理が不充分となり、汚物由来の悪臭および汚れなどが残存し、さらにはウイルス感染被害を起こしてしまうという問題が生じ得る。
【発明の概要】
【発明が解決しようとする課題】
【０００４】
本発明は、上記問題を解決するものであり、その目的とするところは、容易かつ安全に汚物処理することができ、さらに作業効率性に優れるため、汚物処理経験に乏しい者であっても、短時間で汚物処理することができる、汚物処理用キットを提供することにある。
【課題を解決するための手段】
【０００５】
本発明は、防護具、清掃具および消毒具と、前記防護具、清掃具および消毒具を収納可能な収納容器とを包含し、前記防護具、清掃具および消毒具に使用方法がそれぞれ表示されている、汚物処理用キットを提供する。
【０００６】
１つの実施態様では、前記収納容器が、前記防護具、清掃具および消毒具を取り出すための開口部を備え、前記防護具、清掃具および消毒具が、それらを使用する順序にて前記開口部から取り出すことができるように、前記収納容器にそれぞれ収納されている。
【０００７】
１つの実施態様では、前記防護具、清掃具および消毒具が、前記使用方法を前記開口部から認識可能となるように収納されている。
【０００８】
１つの実施態様では、前記収納容器に製品情報が表示されている。
【０００９】
本発明はまた、防護具、清掃具および消毒具に使用方法を表示する工程Ａと、前記防護具、清掃具および消毒具を収納容器に収納する工程Ｂとを包含し、前記工程Ｂが、前記防護具、清掃具および消毒具を、それらを使用する順序にて前記開口部から取り出すことができるように、前記収納容器にそれぞれ収納する工程である、前記汚物処理用キットを製造する方法を提供する。
【発明の効果】
【００１０】
本発明の汚物処理用キットは、汚物処理経験に乏しい者であっても、容易かつ安全に汚物処理を行うことを可能とする。その結果、汚物処理の時間を短縮することができ、さらに汚物残りおよび汚物を介するウイルス感染を予防または防止することができる。
【発明を実施するための形態】
【００１１】
以下、本発明に係る汚物処理用キットについて説明する。
【００１２】
本発明に係る汚物処理用キットは、防護具、清掃具および消毒具と、前記防護具、清掃具および消毒具を収納可能な収納容器とを備え、前記防護具、清掃具および消毒具に使用方法が表示されている。
【００１３】
本発明における「汚物」とは、ヒトその他動物に由来する排出物および分泌物などをいい、具体的には、例えば、体液（血液および唾液など）、嘔吐物、および排泄物（尿および糞便など）が挙げられる。その他動物としては、一般にペットまたは家畜として用いられる動物であれば特に限定されない。
【００１４】
本発明における「汚物処理」とは、汚物を取り除くための行為全般をいい、特に限定されないが、例えば、防護具を着用する工程、汚物を除去する工程、汚物発生箇所およびその周辺を消毒する工程、ならびにこれらの組み合わせを包含してもよい。汚物処理が複数の工程を包含する場合、汚物処理における各工程の順序は当業者が適宜設定することができる。
【００１５】
汚物を処理するために用いられる用具としては、特に限定されず、例えば、防護具、清掃具および消毒具が挙げられるが、前記用具以外に、汚物処理目的で直接的または間接的に用いられる用具をさらに包含させてもよい。
【００１６】
防護具としては、汚物が汚物処理従事者の体（目、口、鼻、肌、髪など）および衣服などに接触することを防止し得るものである限り特に限定されず、例えば、防護衣（ガウンおよびつなぎなど）、エプロン、マスク、保護メガネ、保護キャップ、手袋、および靴カバー、ならびにこれらの組み合わせが挙げられる。防護具の素材および形状については、汚物から汚物処理従事者を保護し得ることができる限り特に限定されず、当業者が適宜設定することができる。なお、前記防護具は市販品として入手され得る。
【００１７】
清掃具としては、汚物を取り除くものである限り特に限定されず、例えば、シートおよびタオル、モップ、バケツ、ごみ袋、ヘラ、ならびにこれらの組み合わせが挙げられる。前記シートおよびタオルの素材としては、布、不織布、紙が挙げられ、当業者が通常行う方法により、さらに吸収材（例えば、綿状パルプ、高分子吸収材）を含有させてもよい。なお、前記清掃具は市販品として入手され得る。
【００１８】
消毒具としては、直接または間接的に消毒に供される用具である限り特に限定されず、例えば、消毒剤、調製用溶媒、調製用容器、タオル、刷毛、およびスプレー容器、ならびにこれらの組み合わせが挙げられる。なお、前記消毒具は市販品として入手され得る。
【００１９】
本発明における「消毒」は、抗菌、除菌、制菌、殺菌、滅菌、および無毒化、ならびにこれらの組み合わせを含む広い概念で用いられる。すなわち、本発明の汚物処理用キットに係る消毒具による消毒は、汚物発生箇所およびその周辺での微生物およびウイルスなどの繁殖を抑える目的および死滅させる目的、ならびに汚物中の有毒物質などを無毒化する目的で用いることができる。微生物およびウイルスなどの種類としては、特に限定されないが、例えば、細菌（黄色ブドウ球菌、大腸菌、および緑膿菌など）、酵母（カンジタなど）、白癬菌、カビ類（アスペルギルスなど）、およびウイルス（ノロウイルスおよびインフルエンザウイルスなど）、ならびにこれらの組み合わせが挙げられる。有毒物質としては、生体に影響を与える物質である限り特に限定されないが、前記微生物、ウイルス、動物および植物由来の物質（例えば、シガトキシン、パリトキシン、トリカブト、テトロドトキシン、ヘビ毒、ハチ毒、ボツリヌス菌毒素、破傷風菌毒素、およびベロ毒素）、ならびに化学物質（例えば、カドミウム、水銀、クロム、鉛、バリウム、ベリリウム、ニッケル、コバルト、バナジウム、亜鉛、銅、マンガン、アンチモン、銀、タリウム、ヒ素、セレン、青酸カリ、四塩化炭素、およびダイオキシン）などが挙げられる。
【００２０】
消毒剤としては、前記消毒に有効である限り特に限定されず、例えば、アルデヒド系（グルタラール、ホルマリンなど）、過酸化物系（オキシドールなど）、塩素系（次亜鉛素酸ナトリウムおよびジクロロイソシアヌル酸ナトリウムなど）、アルコール（エタノール、イソプロパノールなど）、第４アンモニウム塩系、ビグアナイド系、ヨウ素系（ヨードチンキなど）、フェノール系（フェノールなど）、界面活性剤系（石鹸液など）、および酢酸系（過酢酸など）、ならびにこれらの組み合わせが挙げられる。
【００２１】
前記消毒剤は、例えば、液体、固体、またはゲルのいずれかの形態を有していてもよい。
【００２２】
消毒剤は、特に限定されないが、そのまま使用されてもよく、または、調製用溶媒により溶解または希釈した後、使用されてもよい（便宜上、以下において、「消毒剤」には、消毒剤を調製用溶媒によって溶解または希釈された消毒液なども含まれる場合がある）。調製用溶媒としては、例えば、水、親水性有機溶媒、または含水有機溶媒が挙げられる。水としては、例えば、水道水、滅菌水、蒸留水、および超純水が挙げられる。親水性有機溶媒としては、例えば、エタノール、メタノール、アセトン、ジオキサン、テトラヒドロフラン、およびイソプロパノールが挙げられる。含水有機溶媒としては、例えば、含水アルコール（例えば、含水メタノールまたは含水エタノール）および含水アセトンが挙げられる。含水アルコールにおけるアルコールの濃度は当業者が適宜設定することができる。消毒剤を溶解または希釈するために必要な物品（撹拌棒など）は、消毒具に適宜含まれ得る。
【００２３】
消毒剤の塗布方法としては、消毒剤の効果を損なわない限り特に限定されないが、刷毛およびタオルなどを用いて塗布する方法、またはスプレー器具を用いて噴霧により塗布する方法など、当業者が適宜設定することができる。消毒剤を塗布するために必要な物品は、消毒具に適宜含まれ得る。
【００２４】
防護具、清掃具および消毒具は、未包装の状態で収納容器に収納されていてもよく、あるいは包装体にてそれぞれ個別に包装されて収納されていてもよい。防護具、清掃具および消毒具がそれぞれ複数の物品から構成される場合、それぞれ防護具、清掃具および消毒具を１つの単位としてまとめて包装体にて包装してもよく、または当該複数の物品のうち、一部または全部を包装体にて包装してもよい（例えば、防護具が防護衣、マスクおよび手袋で構成される場合、これらを１つの包装体にてまとめて包装してもよく、あるいは、防護衣、マスクおよび手袋をそれぞれ異なる包装体にて個別に包装してもよい）。どのような物品の組み合わせでまとめて包装するかについては、汚物処理の作業効率を向上させる目的で当業者が適宜設定してもよい。
【００２５】
包装体の素材および形状としては特に限定されず、例えば、ポリエステル、ポリプロピレン、ポリエチレンテレフタレートなどのフィルム、アルミ箔、紙などを単独でまたは複層化したものが挙げられる。特に、ポリエステル、ポリプロピレン、およびポリエチレンテレフタレートなどのフィルムであれば、包装体を開封することなく外部から内容物が認識可能となるため特に好ましい。
【００２６】
包装する方法としては、当業者が通常用いる方法であれば特に限定されず、例えば、防護部、清掃具および消毒具を包装体に収納した後、包装体の開口部分を、スライドジッパー、ヒートシール、接着剤、または接着テープなどを用いて封入する方法が挙げられる（便宜上、以下において、「防護具」、「清掃具」および「消毒具」には、未包装の状態および包装体にて包装された状態の両者が含まれる場合がある）。
【００２７】
防護具、清掃具および消毒具には、使用方法が表示されている。この場合、防護具、清掃具および消毒具に使用方法が直接表示されていてもよく、あるいは防護具、清掃具および消毒具をそれぞれ包装する包装体に表示されていてもよい。表示箇所としては、認識容易性の観点から、各用具または包装体の外面が好ましい。防護具、清掃具および消毒具がそれぞれ複数の用具からなる場合、必ずしも全ての用具に使用方法を表示する必要はなく、一部の用具のみに使用方法を表示してもよい。
【００２８】
本発明において、各用具または包装体に表示される「使用方法」には、防護具、清掃具および消毒具を使用する順序および具体的な使用方法が包含され得る。防護具、清掃具および消毒具に使用方法が表示されているため、汚物処理従事者は、本発明の汚物処理用キットに付属され得るマニュアルを確認しなくても、収納容器から取り出した消毒具、防護具または清掃具を一見するだけで、当該用具の使用方法を認識することが可能となる。その結果、汚物処理の作業効率性が向上し、短時間での汚物処理が可能となる。
【００２９】
使用方法を表示する方法としては、汚物処理従事者が消毒具、防護具および清掃具の使用方法を認識することが可能であればよく、例えば、文字、図、写真、および点字、ならびにこれらの組み合わせが挙げられる。
【００３０】
使用方法を表示する手段としては、当業者が通常用いる手段であれば特に限定されず、例えば、接着剤などを用いて、消毒具、防護具および清掃具またはこれらの包装体にシート状の表示部を貼付することによって表示されてもよく、または一般に用いられるインクにより消毒具、防護具および清掃具またはこれらの包装体に印刷（フレキソ印刷、グラビア印刷、およびインクジェット印刷など）することにより表示されてもよい。
【００３１】
本発明の汚物処理用キットにおいて、防護具、清掃具および消毒具は収納容器に収納されている。１つの実施態様として、前記収納容器は開口部を備え、前記開口部を通じて、防護具、清掃具および消毒具が収納され、かつ取り出される。
【００３２】
前記収納容器は、例えば、使用前（汚物処理に用いる前）の防護具、清掃具および消毒具を収納するための容器として用いられ、さらに使用後（汚物処理に用いた後）の防護具、清掃具および消毒具を廃棄するための容器として用いられてもよい。そのため、汚物処理従事者は、当該用具を廃棄するための容器を別途用意する必要がない。
【００３３】
前記収納容器の形状としては、防護具、清掃具および消毒具を収納することができる限り特に限定されないが、上面、側面、および下面を有する形状であること好ましく、例えば、方形、円筒形、および角柱形が挙げられる。
【００３４】
前記収納容器の素材としては、防護具、清掃具および消毒具を収納することができる限り特に限定されず、例えば、紙、ビニール、布、金属などが挙げられる。収納容器を廃棄するための容器として用いることを考慮すれば、廃棄処理が容易な段ボール箱などの紙製の容器であることが特に好ましい。
【００３５】
前記開口部は収納容器を一部開放することによって形成される。収納容器の開閉方法としては、防護具、清掃具および消毒具の収納が可能であれば特に限定されず、当業者が適宜設定することができる。例えば、前記収納容器の上面または側面に、箱型の容器に通常用いられる開閉可能な構造が採用され得る。具体的な開閉方法としては、例えば、上面または側面の一部のみが隣接する他の面と連続し、連続する箇所を軸にして折り返すことにより開閉する方法が挙げられる。そして、前記上面または前記側面が外向きまたは内向きに開くことにより開口部が形成され、前記開口部を通じて、使用前の防護具、清掃具および消毒具が収容されまたは取り出され、あるいは使用後の防護具、清掃具および消毒具が廃棄され得る。特に限定されないが、防護具、清掃具および消毒具の取り出し易さおよび廃棄し易さを考慮すれば、収納容器の上面に開閉可能な開口部を設けることが好ましい。
【００３６】
前記収納容器の他の開閉方法としては、例えば、上面または側面に適宜ミシン目を設け、前記ミシン目を破断することによって開口部を形成させる方法、あるいは、上面が開放された収納容器に、取り外し可能な蓋部を設け、前記蓋部を取り外すことにより収納容器の上面に開口部を形成させる方法が挙げられる。
【００３７】
前記収納容器は、持ち運びを容易にするために、例えば、肩にかけるまたは背負うためのショルダー紐を備えていてもよい。前記ショルダー紐の両端部は、例えば、前記開口部が形成され得ない上面または側面の一部に適宜固定され得る。
【００３８】
１つの実施態様では、前記収納容器は、外面に汚物処理用キットの製品情報が表示される。
【００３９】
本発明における「製品情報」とは、例えば、製造履歴（製造場所、製造年月日、ロットナンバー、製品名、ブランド名）、内容物（各用具の構成物品）、使用方法など示す情報である。前記製品情報のうち、特に内容物を表示すことにより、汚物処理従事者が予め本発明の汚物処理用キットの各構成物品を確認することができるため、短時間で汚物処理を行うことが可能となり得る。製品情報を表示する位置としては特に限定されないが、収納容器の側面に製品情報が表示されていれば、汚物処理従事者の目につきやすく、より好ましい。
【００４０】
製品情報を表示する方法としては、汚物処理従事者が製品情報を認識可能である限り特に限定されず、例えば、文字、図、写真、および点字、ならびにこれらの組み合わせが挙げられる。
【００４１】
製品情報を表示する手段としては、当業者が通常用いる表示手段であれば特に制限されず、例えば、シート状の表示部を接着剤などにより貼付する、または一般に用いられるインクにより収納容器の外面に印刷（フレキソ印刷、グラビア印刷、およびインクジェット印刷など）することが挙げられる。
【００４２】
前述の通り、本発明の汚物処理用キットの収納容器は、収納された防護具、清掃具および消毒具を取り出すための開口部を備える。本発明の１つの実施態様として、防護具、清掃具、および消毒具は、所望の使用順序と一致して開口部から順に取り出すことができるよう、前記収納容器にそれぞれ収納されている。そのため、本発明の汚物処理用キットを使用する汚物処理従事者は、防護具、清掃具および消毒具を開口部から取り出した順に使用すればよく、防護具、清掃具および消毒具をどのような順序で使用するべきかについて、付属のマニュアルを確認する必要がない。その結果、汚物処理をより短時間で行うことができる。
【００４３】
防護具、清掃具および消毒具は、所望の使用順序にて開口部から順に取り出すことができる限り特に限定されないが、前記収納容器に積層された状態にて収納されていればよく（例えば、防護具、清掃具および消毒具の順序で汚物処理を行う場合、防護具、清掃具および消毒具は、収納容器の開口部側から開口部と対向する側に向かって、防護具、清掃具および消毒具の順序で積み重なって収納される）、あるいは当業者が適宜設定してもよい。
【００４４】
防護具、清掃具および消毒具を使用する順序としては、特に限定されず、汚物処理作業の効率性の観点から、当業者が適宜設定することができる。
【００４５】
防護具、清掃具および消毒具がそれぞれ複数の構成物品からなる場合、いずれか１つの用具に係る複数の構成物品を全て使用した後に、別の用具に係る構成物品を使用する順序であってもよく、あるいは、いずれか１つの用具に係る複数の構成物品のうちの１部を使用した後に、別の用具に係る構成物品を使用し、その後、前者用具に係る残りの構成物品を使用してもよい。前述の通り、汚物処理作業の効率性の観点から、当業者が前記順序を適宜設定することができる。例えば、防護具、清掃具および消毒具がそれぞれ２つの構成物品（ＡおよびＢ）からなる場合、本発明の汚物処理キットが、防護具ＡおよびＢ、消毒具ＡおよびＢ、防護具ＡおよびＢの順序で使用されてもよく、あるいは、清掃具Ａ、消毒具Ａ、防護具Ａ、防護具Ｂ、清掃具Ｂ、消毒具Ｂの順序で使用されてもよい。
【００４６】
収納容器へ収納する順序として、例えば、防護具ＡおよびＢ、消毒具ＡおよびＢ、防護具ＡおよびＢの順序で使用される場合、開口部側から、防護具ＡおよびＢ、消毒具ＡおよびＢ、ならびに防護具ＡおよびＢの順に収納されてもよく、あるいは、清掃具Ａ、消毒具Ａ、防護具Ａ、防護具Ｂ、清掃具Ｂ、消毒具Ｂの順序で使用される場合、開口部側から、清掃具Ａ、消毒具Ａ、防護具Ａ、防護具Ｂ、清掃具Ｂ、消毒具Ｂの順に収納されてもよい。すなわち、各構成物品の使用順序と一致して収納容器の開口部から取り出すことができるように各構成物品が収納容器に適宜収納される。
【００４７】
本発明の１つの実施態様として、収納容器に収納される防護具、清掃具および消毒具は、それらに表示された使用方法を開口部側に向けた状態で収納される。その結果、本発明の汚物処理用キットを使用する者は、防護具、清掃具および消毒具を収納容器の開口部から取り出す前に、今から使用する防護具、清掃具または消毒具の具体的な使用方法を即時認識することができる。その結果、汚物処理経験に乏しい者であっても、より短時間で汚物処理を行うことが可能となる。
【実施例】
【００４８】
以下、実施例を挙げて本発明を詳細に説明するが、本発明はこの実施例に限定されるものではない。
【００４９】
床または壁面に汚物が生じた場合には、本発明の汚物処理用キットを用いて汚物処理を行う。防護具、清掃具、および消毒具にはそれぞれの使用方法が表示されているため、付属マニュアルを確認する手間を省くことができ、その結果、効率的に汚物処理を行うことができる。また、１つの実施態様として、本発明の汚物処理用キットは、前記防護具、清掃具および消毒具が、それらを使用する順序にて前記開口部から取り出すことができるように、前記収納容器にそれぞれ収納されているため、当該キットに係る収納容器の開口部側から順に収納された防護具、清掃具および消毒具を使用することにより、適切な順序で汚物処理を行うことができ、その結果、汚物処理経験に乏しい者であっても、短時間で汚物処理を行うことができる。
【００５０】
本発明の汚物処理用キットは、清掃具として、ワイドシート（株式会社リブドゥコーポレーション製；１０枚）およびビニール袋（３枚）、防護具として、プラスチックガウン（１枚）、サージカルマスク（１枚）、およびニトリル手袋（２双）、ならびに消毒具として、除菌タブレット（花王プロフェッショナル・サービス株式会社製；４錠）、ウォーターバッグ（２枚）、ドライタオル（株式会社リブドゥコーポレーション製；６０枚）と、収納容器として、段ボール箱とからなる。
【００５１】
ワイドシート１０枚は１つの包装体Ａで包装され、プラスチックガウン、サージカルマスク、およびニトリル手袋２双は１つの包装体Ｂで包装され、除菌タブレットは１錠ごとに１つの包装体Ｃにて包装され（便宜上まとめて包装体Ｃとする）、ドライタオル６０枚は１つの包装体Ｄで包装される。一方、ビニール袋３枚およびウォーターバッグ２枚は包装体にて包装されていない。また、包装体Ａ〜Ｄおよびウォーターバッグ２枚の外面には、それらの使用方法を図および文字にて表示するシール状の表示部が貼付されている。
【００５２】
前記段ボール箱は上面に開口部を有し、開口部側から、包装体Ａ、ウォーターバッグ、包装体Ｃ、包装体Ｂ、ビニール袋、包装体Ｄの順に収納されている。そのため、開口部から当該順序で各構成物品を取り出すことができる。当該順序は、各構成物品の使用順序と一致している。
【００５３】
（手順１）
床に嘔吐物が発生した場合、まず汚物処理用キットの段ボール箱上面を開き開口部を形成させる。開口部から包装体Ａ（ワイドシート）を取り出し、包装体Ａ中のワイドシート２枚を、嘔吐物が発生した位置から離れた箇所に並べて敷く。次に、嘔吐物の上から残りのワイドシート８枚を覆いかぶせる。
【００５４】
（手順２）
次いで、段ボール箱からウォーターバッグ２枚（以下、ウォーターバッグＡおよびＢとする）および包装体Ｃを取り出し、２枚のウォーターバッグにそれぞれに表示された水量指定線まで水を入れ（１６００ｍＬ（ウォーターバッグＡ）、６００ｍＬ（ウォーターバッグＢ））、水の入ったウォーターバッグＡに包装体Ｃから取り出した除菌タブレット４錠を投入し、除菌タブレットを溶解させる。嘔吐物との接触を避けるために、ウォーターバッグＡおよびＢを、手順１にて並べて敷いたワードシート上に置く。
【００５５】
（手順３）
次いで、段ボール箱から包装体Ｂを取り出し、包装体Ｂ中のプラスチックガウン、サージカルマスクおよびニトリル手袋２双（以下、手袋ＡおよびＢとする）を装着する。なお、手袋Ａを装着した上からさらに手袋Ｂを装着する。
【００５６】
（手順４）
次いで、段ボール箱からビニール袋３枚（以下、ビニール袋Ａ、ＢおよびＣとする）ならびに包装体Ｄ（ドライタオル）を取り出す。ビニール袋Ａを広げ、段ボール箱の内側にかぶせ、その上からビニール袋Ａに重なるように、広げたビニール袋Ｂをさらにかぶせる。前記並べて敷いたワードシート上にビニール袋Ｃを広げて置いておく。
【００５７】
（手順５）
次いで、包装体Ｄからドライタオル６０枚を取り出し、そのうち約１／３（２０枚程度）をウォーターバッグＡに入れ、約１／３をウォーターバッグＢに入れ、残りの約１／３を前記並べて敷いたワイドシート上に置いておく。
【００５８】
（手順６）
次いで、手順１にて嘔吐物を覆いかぶせたワイドシートで、外側から内側に向けて嘔吐物を拭き取り、手順４にてビニール袋ＡおよびＢをかぶせておいた段ボール箱に入れる。
【００５９】
（手順７）
次いで、手袋Ｂに付着した嘔吐物が手袋Ａに付着しないように注意して手袋Ｂを外し、外した手袋Ｂを前記段ボール箱に入れる。ビニール袋Ｂの口を閉じ、手順４にて広げておいたビニール袋Ｃ上に前記段ボール箱をのせる（後述するが、最終的に、ビニール袋Ｃで段ボール箱を包み込み、廃棄する）。
【００６０】
（手順８）
次いで、手順５の残りの約１／３のドライタオルで嘔吐物が発生した箇所を覆いかぶせ、その上から手順２で調製したウォーターバッグＡ中の除菌タブレット溶解液（消毒液）をかけた後、約１０分間放置する。
【００６１】
（手順９）
次いで、ウォーターバッグＡからドライタオルを取り出して軽く絞った後、数枚を残し、手順８にてドライタオルで覆いかぶせた箇所の周辺を拭き取る。
【００６２】
（手順１０）
次いで、前記並べて敷いたワイドシートの上においてあるものを消毒が終わった箇所に移動させ、当該ワイドシートを段ボール箱に入れ、ワイドシートが敷かれていた箇所も手順９のドライタオルで拭き取り、残しておいた数枚のドライタオルで靴底を拭き取る。拭き取りに使用したドライタオルを段ボール箱に入れる。
【００６３】
（手順１１）
次いで、ウォーターバッグＢからドライタオルを取り出して軽く絞った後、手順８〜１０にて消毒した箇所を水拭きし、当該ドライタオルおよび残った物品全てを段ボール箱に入れる。次に、手順３にて装着した手袋Ａ、プラスチックガウンおよびサージカルマスクを外し、段ボール箱に入れる。
【００６４】
（手順１２）
次いで、ビニール袋Ａの口を閉じ、段ボール箱を閉じた後、ビニール袋Ｃで段ボールを覆い包んで口を閉じ、廃棄物として処理する。
【００６５】
前記手順１〜１２に従うことで、汚物処理従事者は、汚物に接触することなく、効率よく汚物を除去し、汚物発生箇所およびその周辺を消毒することができる。
【産業上の利用可能性】
【００６６】
本発明によれば、容易かつ安全に汚物を処理することができ、さらに作業効率性に優れた汚物処理用キットが提供される。本発明の汚物処理用キットは、例えば、汚物処理の時間を短縮することができ、さらに汚物を介するウイルス感染および汚物残りを防止することができるため、様々な場所で発生し得る汚物による悪影響から、汚物処理従事者および通行人などを保護し得る。